(57)【特許請求の範囲】
【請求項１】
光源と、上記光源を点灯させて測定した上記光源の特性に基づく値を記憶した記憶部とを有する光源モジュールを接続する光源接続部と、
上記光源接続部に接続した光源モジュールに電力を供給する電源回路と、
上記光源接続部に接続した光源モジュールの記憶部が記憶した値を読み出して取得する読出部と、
上記読出部が取得した値に基づいて、上記光源接続部に接続した光源モジュールの光源に流す電流の目標値を算出する目標値算出部と、
上記目標値算出部が電流の目標値を算出するための所定時間が経過するまで、上記光源接続部に接続した光源モジュールの光源に、初期値の電流から徐々に増加させた電流が流れるよう、上記電源回路を制御し、前記所定時間が経過した後、上記光源接続部に接続した光源モジュールの光源に、上記目標値算出部が算出した目標値の電流が流れるよう、上記電源回路を制御する制御部とを有することを特徴とする点灯装置。
【請求項２】
上記記憶部が記憶した値は、上記光源に流した電流の値と、上記光源が放射する光の光束及び色度座標及び相関色温度のうち少なくともいずれかとの関係を表わすことを特徴とする請求項１に記載の点灯装置。
【請求項３】
上記光源モジュールは、放射する光の色度座標が異なる複数種類の光源を有し、
上記記憶部が記憶した値は、上記複数種類の光源が放射した光を混合した光の光束及び色度座標及び相関色温度のうち少なくともいずれかが所定の目標値に一致したとき、それぞれの種類の光源に流した電流の値を表わすことを特徴とする請求項１または請求項２に記載の点灯装置。
【請求項４】
上記点灯装置は、
上記光源接続部に接続した光源モジュールの光源の特性を測定して、上記光源接続部に接続した光源モジュールの記憶部に記憶させる値を算出する測定装置から、上記測定装置が算出した値を取得する測定取得部と、
上記測定取得部が取得した値を、上記光源接続部に接続した光源モジュールの記憶部に書き込んで記憶させる書込部とを有することを特徴とする請求項１から請求項３のいずれか１項に記載の点灯装置。
【請求項５】
光源モジュールと、
請求項１から請求項４のいずれか１項に記載の点灯装置とを有することを特徴とする照明装置。
【請求項６】
光源モジュールの光源の特性を測定する測定部と、
上記測定部が測定した結果に基づいて、上記光源モジュールの記憶部に記憶させる値を算出するデータ算出部と、
上記データ算出部が算出した値を、請求項４に記載の点灯装置に対して通知する測定通知部を有することを特徴とする測定装置。
【請求項７】
上記測定装置は、
上記データ算出部が算出した値を、上記光源モジュールの記憶部に書き込んで記憶させる書込部を有することを特徴とする請求項６に記載の測定装置。
【発明の詳細な説明】
【技術分野】
【０００１】
この発明は、ＬＥＤなどの光源を有する光源モジュールに関する。
【背景技術】
【０００２】
ＬＥＤなどの光源を搭載した光源モジュールと、光源モジュールに対して電力を供給する点灯装置とを接続して構成される照明装置がある。
【先行技術文献】
【特許文献】
【０００３】
【特許文献１】特開２００６−３１８７７３号公報
【特許文献２】特開２００４−１５８８４０号公報
【発明の概要】
【発明が解決しようとする課題】
【０００４】
ＬＥＤなどの光源は、放射する光の色度座標や光束などの特性にバラツキが大きい。照明装置が放射する光にこのバラツキの影響が出ないようにするには、例えば、光源の特性をあらかじめ測定し、複数の光源を、特性のバラツキが相殺されるよう選択して光源モジュールに搭載することが考えられる。しかし、この方式は、光源の特性の測定や、特性を測定された光源の管理に手間がかかるので、照明装置の製造コストの増大を招くおそれがある。
この発明は、例えば上記のような課題を解決するためになされたものであり、照明装置の製造コストを抑えつつ、照明装置が放射する光に、光源の特性のバラツキの影響が出ないようにすることを目的とする。
【課題を解決するための手段】
【０００５】
この発明にかかる光源モジュールは、光源と、上記光源を点灯させて測定した上記光源の特性に基づく値を記憶した記憶部とを有することを特徴とする。
【発明の効果】
【０００６】
この発明にかかる光源モジュールによれば、搭載された光源を実際に点灯させて測定した光源の特性に基づく値を記憶部が記憶しているので、この値に基づいて、光源を点灯させることにより、照明装置が放射する光に、光源の特性のバラツキの影響が出ないようにすることができる。
【図面の簡単な説明】
【０００７】
【図１】実施の形態１における照明装置８００の構成を示すブロック構成図。
【図２】実施の形態１における記憶部１２０が記憶しているデータの構造を示す図。
【図３】実施の形態１における点灯処理Ｓ６１０の流れを示すフローチャート図。
【図４】実施の形態１における目標値算出工程Ｓ６１３の処理を説明するための図。
【図５】実施の形態１における測定装置３００の構成を示すブロック構成図。
【図６】実施の形態１における書込処理Ｓ６３０の流れを示すフローチャート図。
【図７】実施の形態２における照明装置８００及び測定装置３００の構成を示すブロック構成図。
【図８】実施の形態３における記憶部１２０が記憶しているデータの構造を示す図。
【図９】実施の形態３における目標値算出工程Ｓ６１３の処理を説明するための図。
【図１０】実施の形態４における記憶部１２０が記憶しているデータの構造を示す図。
【図１１】実施の形態４における照明装置８００が放射する光を示す色度図。
【図１２】実施の形態４における目標値算出工程Ｓ６１３の流れを示すフローチャート図。
【図１３】実施の形態４における測定装置３００の構成を示すブロック構成図。
【図１４】実施の形態４における書込処理Ｓ６３０の流れを示すフローチャート図。
【発明を実施するための形態】
【０００８】
実施の形態１．
実施の形態１について、図１〜図６を用いて説明する。
なお、複数ある要素について、符号の後ろにアルファベットを付して区別する場合がある。
【０００９】
図１は、この実施の形態における照明装置８００の構成を示すブロック構成図である。
照明装置８００（ＬＥＤ照明装置）は、商用電源などの電源ＡＣから供給される電力により、ＬＥＤや有機ＥＬなどの光源を点灯する。照明装置８００は、放射する光の相関色温度などを変えることができる。照明装置８００は、例えばリモコンなどの指示装置８１０から指示信号を入力し、入力した指示信号にしたがって、放射する光の相関色温度などを変化させる。照明装置８００は、例えば、光源モジュール１００と、点灯装置２００と、ハーネス２９０とを有する。
【００１０】
ハーネス２９０（接続ハーネス部、連結部）は、光源モジュール１００と点灯装置２００との間を物理的・電気的に接続（連結）する。ハーネス２９０は、例えば、２つのコネクタ２９１，２９２と、ケーブル２９３とを有する。ケーブル２９３は、２つのコネクタ２９１，２９２の間を物理的・電気的に接続している。なお、ハーネス２９０は、点灯装置２００あるいは光源モジュール１００と一体に形成されたものであってもよい。
【００１１】
光源モジュール１００（ＬＥＤモジュール）は、例えば、プリント配線板（基板）と、その上に実装された電子部品などの部品とによって構成されている。光源モジュール１００は、複数の光源回路１１０と、記憶部１２０と、コネクタ１８０とを有する。
光源回路１１０は、１つ以上の光源を有する。光源回路１１０は、点灯装置２００から供給される電力により光源を点灯させるための回路である。光源回路１１０は、例えば、複数の光源が直列に電気接続された回路である。光源回路１１０は、光源が放射した光を放射する。１つの光源回路１１０が放射する光は、他の光源回路１１０が放射する光と、色度座標が異なる。例えば、光源回路１１０ａは、相関色温度が約５０００Ｋの昼白色の光を放射する光源（第一ＬＥＤ群）を有し、光源回路１１０ｂは、相関色温度が約３０００Ｋの電球色の光を放射する光源（第二ＬＥＤ群）を有する。照明装置８００は、複数の光源回路１１０が放射した光を混合した光を放射する。照明装置８００は、光源回路１１０ａの光源が放射する光の強さと、光源回路１１０ｂの光源が放射する光の強さとを調整して、放射する光の相関色温度などを変化させる。照明装置８００は、例えば、３０００Ｋ〜５０００Ｋの間で指示された相関色温度の光を放射する。なお、１つの光源回路１１０に複数の光源が含まれる場合、そのなかに色度座標の異なる光源が含まれていてもよいし、１つの光源回路１１０に含まれる複数の光源は、色度座標がほぼ同じであってもよい。
記憶部１２０（メモリ装置）は、データ（値）を記憶し、電源の供給がなくても記憶したデータを保持し、記憶したデータを電気的に読み出すことができる。記憶部１２０は、例えば、ＥＥＰＲＯＭなどの不揮発性メモリ、ディップスイッチやジャンパー線、半固定抵抗などである。ＥＥＰＲＯＭなどの不揮発性メモリは、データを電気的に書き込むことができ、比較的大量のデータを記憶できるので、望ましい。記憶部１２０は、光源回路１１０の光源の特性に基づくデータを記憶している。光源の特性とは、例えば、光源が放射する光の光束、相関色温度、色度座標などである。１つの光源回路１１０に複数の光源が含まれている場合、記憶部１２０が記憶しているデータは、１つの光源回路１１０に含まれる光源の特性を総合した全体としての特性に基づくものである。光源の特性は、製造誤差などの影響により、個々の光源ごとにバラツキがある。そこで、光源モジュール１００の組立後、光源回路１１０の光源を実際に点灯させて、光源の特性を測定する。記憶部１２０が記憶しているデータは、このようにして実測した光源の特性に基づいて算出されたものである。
コネクタ１８０は、ハーネス２９０のコネクタ２９１と係合して物理的・電気的に接続する。コネクタ１８０は、複数の光源回路１１０及び記憶部１２０と、それぞれ電気接続している。それぞれの光源回路１１０は、コネクタ１８０に接続したハーネス２９０を介して、点灯装置２００から電力の供給を受ける。また、点灯装置２００は、コネクタ１８０に接続したハーネス２９０を介して、記憶部１２０が記憶したデータを読み出す。
【００１２】
点灯装置２００（ＬＥＤ電源装置）は、電源ＡＣから供給された電力を、それぞれの光源回路１１０に供給する電力（直流電力）に変換する。点灯装置２００は、例えば、複数の電源回路２１０と、制御回路２２０と、コネクタ２８０とを有する。
電源回路２１０（直流電源回路）は、例えばスイッチング電源回路であり、電源ＡＣから供給された電力を、光源回路１１０に供給する電力に変換する。電源回路２１０ａは、光源回路１１０ａに供給する電力を生成し、電源回路２１０ｂは、光源回路１１０ｂに供給する電力を生成する。それぞれの電源回路２１０は、出力電流がそれぞれの電流目標値に一致するよう動作（定電流制御）する。例えば、電源回路２１０は、内蔵するスイッチング素子のオン時間を制御することにより、出力電流を調整する。それぞれの電源回路２１０は、制御回路２２０から電流目標値を指示する制御信号を入力し、入力した制御信号にしたがって動作する。
制御回路２２０（制御装置）は、指示装置８１０からの指示信号と、記憶部１２０が記憶したデータとに基づいて、電源回路２１０を制御する。制御回路２２０は、例えば、マイコンである。制御回路２２０は、例えば、指示取得部２２１と、読出部２２２と、目標値算出部２２３と、制御部２２４とを有する。指示取得部２２１は、指示装置８１０が出力した指示信号を入力する。読出部２２２は、記憶部１２０が記憶したデータを読み出す。目標値算出部２２３は、指示取得部２２１が入力した指示信号と、記憶部１２０が記憶したデータとに基づいて、それぞれの光源回路１１０を流れる電流の目標値を算出する。制御部２２４は、目標値算出部２２３が算出した電流目標値を表わす制御信号を生成し、出力する。
コネクタ２８０（光源接続部）は、ハーネス２９０のコネクタ２９２と係合して物理的・電気的に接続する。コネクタ２８０は、複数の電源回路２１０及び制御回路２２０と、それぞれ電気接続している。電源回路２１０ａが生成した電力は、コネクタ２８０に接続したハーネス２９０を介して、光源回路１１０ａに供給される。電源回路２１０ｂが生成した電力は、コネクタ２８０に接続したハーネス２９０を介して、光源回路１１０ｂに供給される。読出部２２２は、コネクタ２８０に接続したハーネス２９０を介して、記憶部１２０が記憶したデータを読み出す。
【００１３】
図２は、この実施の形態における記憶部１２０が記憶しているデータの構造を示す図である。
記憶部１２０は、例えば、複数のレコード４１０を記憶している。それぞれのレコード４１０は、相関色温度データ４１１と、複数の電流目標値データ４１３とを含む。相関色温度データ４１１は、照明装置８００が放射する光の相関色温度を表わす。電流目標値データ４１３は、照明装置８００が放射する光の相関色温度を、相関色温度データ４１１が表わす相関色温度にするために、光源回路１１０に流すべき電流の目標値を表わす。電流目標値データ４１３ａは、光源回路１１０ａに流すべき電流の目標値を表わし、電流目標値データ４１３ｂは、光源回路１１０ｂに流すべき電流の目標値を表わす。
例えば、レコード４１０ａは、光源回路１１０ａを流れる電流を０ｍＡ、光源回路１１０ｂを流れる電流を４５０ｍＡにしたとき、照明装置８００が放射する光の相関色温度が３０００Ｋになることを表わす。レコード４１０ｂは、光源回路１１０ａを流れる電流を２００ｍＡ、光源回路１１０ｂを流れる電流を２５０ｍＡにしたとき、照明装置８００が放射する光の相関色温度が４０００Ｋになることを表わす。レコード４１０ｃは、光源回路１１０ａを流れる電流を４５０ｍＡ、光源回路１１０ｂを流れる電流を０ｍＡにしたとき、照明装置８００が放射する光の相関色温度が５０００Ｋになることを表わす。
なお、記憶部１２０が記憶しているデータの構造は、一例であり、他の構造であってもよい。例えば、それぞれのレコード４１０に対応する相関色温度をあらかじめ定めておき、それぞれのレコード４１０は、相関色温度データ４１１を含まず、電流目標値データ４１３だけを含む構成であってもよい。
【００１４】
図３は、この実施の形態における点灯処理Ｓ６１０の流れを示すフローチャート図である。
点灯処理Ｓ６１０において、制御回路２２０は、電源回路２１０を制御して、光源回路１１０の光源を点灯させる。点灯処理Ｓ６１０は、例えば、指示取得工程Ｓ６１１と、読出工程Ｓ６１２と、目標値算出工程Ｓ６１３と、制御工程Ｓ６１４とを有する。
指示取得工程Ｓ６１１において、指示取得部２２１は、指示装置８１０が出力した指示信号を入力し、入力した指示信号が表わす相関色温度Ｔを取得する。
読出工程Ｓ６１２において、読出部２２２は、記憶部１２０が記憶したデータを読み出す。
目標値算出工程Ｓ６１３において、目標値算出部２２３は、読出工程Ｓ６１２で読出部２２２が読み出したデータに基づいて、照明装置８００が放射する光の相関色温度を、指示取得工程Ｓ６１１で指示取得部２２１が取得した相関色温度Ｔに一致させるために、それぞれの光源回路１１０に流すべき電流の目標値を算出する。
制御工程Ｓ６１４において、制御部２２４は、目標値算出工程Ｓ６１３で目標値算出部２２３が算出した電流目標値に基づいて、それぞれの電源回路２１０を制御する制御信号を生成する。制御部２２４が生成した制御信号にしたがって電源回路２１０ａ，２１０ｂが動作することにより、光源回路１１０ａ，１１０ｂには、目標値算出部２２３が算出した目標値にほぼ一致する電流が流れる。これにより、照明装置８００は、指示信号によって指示された相関色温度Ｔにほぼ一致する相関色温度の光を放射する。
【００１５】
なお、制御部２２４は、それぞれの電源回路３１０に対して制御信号によって指示する電流の目標値を、例えば、０から始めて徐々に増加させ、所定の時間が経過したのち、目標値算出部２２３が算出した電流の目標値に一致させる構成であってもよい。このようにフェードイン動作をさせることにより、目標値算出部２２３が目標値を算出するのを待たずに点灯を開始できるので、照明装置８００の点灯開始までの遅延時間を減らすことができ、点灯時の違和感を低減することができる。
また、指示信号により調光度や相関色温度を変化させる場合も同様に、制御部２２４は、それぞれの電源回路３１０に対して制御信号によって指示する電流の目標値を、連続的に徐々に変化させる構成であってもよい。
【００１６】
図４は、この実施の形態における目標値算出工程Ｓ６１３の処理を説明するための図である。
横軸は、相関色温度を表わす。縦軸は、電流目標値を表わす。白抜き四角形は、記憶部１２０が記憶したデータが表わす光源回路１１０ａに流すべき電流の目標値を示す。白丸は、記憶部１２０が記憶したデータが表わす光源回路１１０ｂに流すべき電流の目標値を示す。実線５１１は、白抜き四角形の間を繋ぐ線分である。破線５１２は、白丸の間を繋ぐ線分である。
【００１７】
目標値算出部２２３は、例えば直線補間により、それぞれの光源回路１１０に流すべき電流の目標値を算出する。すなわち、目標値算出部２２３は、実線５１１に基づいて、光源回路１１０ａに流すべき電流の目標値を算出し、破線５１２に基づいて、光源回路１１０ｂに流すべき電流の目標値を算出する。
具体的には、例えば、目標値算出部２２３は、読出部２２２が読み出したデータのなかから、相関色温度データ４１１が表わす相関色温度が、指示取得部２２１が取得した相関色温度Ｔと一致するレコード４１０を探す。
相関色温度が一致するレコード４１０が見つかった場合、目標値算出部２２３は、そのレコード４１０に含まれる電流目標値データ４１３が表わす電流目標値を、それぞれの光源回路１１０に流すべき電流の目標値とする。
相関色温度が一致するレコード４１０が見つからない場合、目標値算出部２２３は、読出部２２２が読み出したデータのなかから、相関色温度データ４１１が表わす相関色温度が相関色温度Ｔより小さいレコード４１０のうち、相関色温度データ４１１が表わす相関色温度が最大のレコード４１０を探す。このレコード４１０に含まれる相関色温度データ４１１が表わす相関色温度をＴ１、電流目標値データ４１３ａが表わす電流目標値をＩ１とする。目標値算出部２２３は、読出部２２２が読み出したデータのなかから、相関色温度データ４１１が表わす相関色温度が相関色温度Ｔより大きいレコード４１０のうち、相関色温度データ４１１が表わす相関色温度が最小のレコード４１０を探す。このレコード４１０に含まれる相関色温度データ４１１が表わす相関色温度をＴ２、電流目標値データ４１３ａが表わす電流目標値をＩ２とする。目標値算出部２２３は、相関色温度Ｔ２から相関色温度Ｔを差し引いた差（Ｔ２−Ｔ）と電流目標値Ｉ１との積（Ｔ２−Ｔ）Ｉ１と、相関色温度Ｔから相関色温度Ｔ１を差し引いた差（Ｔ−Ｔ１）と電流目標値Ｉ２との積（Ｔ−Ｔ１）Ｉ２との合計を、相関色温度Ｔ２から相関色温度Ｔ１を差し引いた差（Ｔ２−Ｔ１）で割った商を算出して、光源回路１１０ａに流すべき電流の目標値Ｉとする。目標値算出部２２３は、光源回路１１０ｂについても同様にして、光源回路１１０ｂに流すべき電流の目標値を算出する。
【００１８】
目標値算出部２２３がこのようにして電流の目標値を算出することにより、指示信号によって指示された相関色温度に対応するレコード４１０を、記憶部１２０が記憶していない場合でも、光源回路１１０に流すべき電流の目標値を算出することができる。これにより、記憶部１２０が記憶すべきデータの量を抑えることができる。
なお、補間の方式は、直線補間に限らず、放物線補間など他の方式であってよい。
【００１９】
次に、光源モジュール１００の製造方法について説明する。
【００２０】
最初に、プリント配線板の上に、光源回路１１０を構成するＬＥＤ素子などの光源や、記憶部１２０となるＥＥＰＲＯＭ、コネクタ１８０などを実装して、光源モジュール１００を組み立てる。
次に、組み立てられた光源モジュール１００に電力を供給し、光源を実際に点灯させて、光源モジュール１００が放射する光の特性を測定する。
最後に、測定した光の特性に基づいて、記憶部１２０に記憶させるデータを算出して、算出したデータを記憶部１２０に書き込む。
【００２１】
図５は、この実施の形態における測定装置３００の構成を示すブロック構成図である。
測定装置３００（製造装置）は、光源モジュール１００に対して電力を供給し、光源モジュール１００が放射する光の特性を測定する。測定装置３００は、測定結果に基づいて、記憶部１２０に記憶させるデータを算出し、算出したデータを記憶部１２０に書き込む。
【００２２】
ハーネス３９０は、光源モジュール１００と測定装置３００との間を物理的・電気的に接続する。ハーネス３９０は、照明装置８００のハーネス２９０に相当する。ハーネス３９０は、例えば、２つのコネクタ３９１，３９２と、ケーブル３９３とを有する。コネクタ３９１は、光源モジュール１００のコネクタ１８０と係合して物理的・電気的に接続する。ケーブル３９３は、２つのコネクタ３９１，３９２の間を物理的・電気的に接続している。なお、ハーネス３９０は、測定装置３００あるいは光源モジュール１００と一体に形成されたものであってもよい。
【００２３】
測定装置３００は、例えば、複数の電源回路３１０と、制御回路３２０と、測定部３３０と、コネクタ３８０とを有する。
電源回路３１０は、電源ＡＣから供給された電力を、光源回路１１０に供給する電力に変換する。電源回路３１０は、照明装置８００の電源回路２１０に相当する。電源回路３１０ａは、光源回路１１０ａに供給する電力を生成し、電源回路３１０ｂは、光源回路１１０ｂに供給する電力を生成する。それぞれの電源回路３１０は、出力電流がそれぞれの電流目標値に一致するよう動作する。
測定部３３０は、光源モジュール１００が放射した光の光束、相関色温度、色度座標などを測定する。測定部３３０は、測定した結果を表わす測定結果信号を出力する。
制御回路３２０は、電源回路３１０を制御して、光源モジュール１００の光源を点灯させ、測定部３３０が測定した結果に基づいて、記憶部１２０に記憶させるデータを算出し、算出したデータを記憶部１２０に書き込む。制御回路３２０は、例えば、目標設定部３２１と、目標値算出部３２３と、制御部３２４と、書込部３２５とを有する。目標設定部３２１は、光源モジュール１００が放射する光の光束、相関色温度、色度座標などの目標を設定する。目標値算出部３２３（データ算出部）は、それぞれの光源回路１１０に流すべき電流の目標値を算出する。目標値算出部３２３は、測定部３３０が出力した測定結果信号を入力し、入力した測定結果信号に基づいて、目標値を変化させ、測定部３３０が測定した結果が、目標設定部３２１が設定した目標に一致する目標値を探す。制御部３２４は、目標値算出部３２３が算出した電流目標値に基づいて、それぞれの電源回路３１０を制御する制御信号を生成する。書込部３２５は、測定部３３０が測定した結果が、目標設定部３２１が設定した目標に一致した場合に、目標値算出部３２３が算出した電流目標値に基づいて、記憶部１２０に記憶させるデータを生成し、生成したデータを、記憶部１２０に記憶させる。
コネクタ３８０は、ハーネス３９０のコネクタ３９２と係合して物理的・電気的に接続する。コネクタ３８０は、複数の電源回路３１０及び制御回路３２０と、それぞれ電気接続している。電源回路３１０ａが生成した電力は、コネクタ３８０に接続したハーネス３９０を介して、光源回路１１０ａに供給される。電源回路３１０ｂが生成した電力は、コネクタ３８０に接続したハーネス３９０を介して、光源回路１１０ｂに供給される。また、記憶部１２０は、コネクタ３８０に接続したハーネス３９０を介して、書込部３２５が送ってきたデータを取得し、記憶する。
【００２４】
図６は、この実施の形態における書込処理Ｓ６３０の流れを示すフローチャート図である。
書込処理Ｓ６３０において、測定装置３００は、光源モジュール１００に電力を供給して光源を点灯させ、記憶部１２０に記憶させるデータを算出して、記憶部１２０に書き込む。書込処理Ｓ６３０は、例えば、光源選択工程Ｓ６３１と、２つの目標値算出工程Ｓ６３２，Ｓ６４２と、２つの点灯工程Ｓ６３３，Ｓ６４３と、２つの測定工程Ｓ６３４，Ｓ６４４と、目標設定工程Ｓ６４１と、比較工程Ｓ６４５と、目標値調整工程Ｓ６４６と、書込工程Ｓ６４７とを有する。
【００２５】
光源選択工程Ｓ６３１において、目標値算出部３２３は、複数の光源回路１１０のなかから、点灯させる光源回路１１０を一つ選択する。すべての光源回路１１０を選択済であり、まだ選択していない光源回路１１０がない場合、目標値算出部３２３は、書込処理Ｓ６３０を目標設定工程Ｓ６４１へ進める。まだ選択していない光源回路１１０がある場合、目標値算出部３２３は、まだ選択していない光源回路１１０のなかから光源回路１１０を一つ選択し、書込処理Ｓ６３０を目標値算出工程Ｓ６３２へ進める。
目標値算出工程Ｓ６３２において、目標値算出部３２３は、光源選択工程Ｓ６３１で選択した光源回路１１０に流すべき電流の目標値を所定の値に設定し、それ以外の光源回路１１０に流すべき電流の目標値を０に設定する。
点灯工程Ｓ６３３において、制御部３２４は、目標値算出工程Ｓ６３２で目標値算出部３２３が設定した目標値に基づいて、それぞれの電源回路３１０を制御する制御信号を生成する。それぞれの電源回路３１０は、制御部３２４が生成した制御信号にしたがって動作する。これにより、光源選択工程Ｓ６３１で選択された光源回路１１０だけが点灯する。
測定工程Ｓ６３４において、測定部３３０は、光源モジュール１００が放射した光の光束や相関色温度などを測定する。目標値算出部３２３は、測定部３３０が測定した結果を記憶しておく。目標値算出部３２３は、書込処理Ｓ６３０を光源選択工程Ｓ６３１に戻し、次の光源回路１１０を選択する。
【００２６】
目標設定工程Ｓ６４１において、目標設定部３２１は、あらかじめ定められた複数の相関色温度のなかから、相関色温度を一つ選択する。複数の相関色温度がすべて選択済であり、まだ選択していない相関色温度がない場合、目標設定部３２１は、書込処理Ｓ６３０を終了する。まだ選択していない相関色温度がある場合、目標設定部３２１は、そのなかから相関色温度を一つ選択し、選択した相関色温度を、光源モジュール１００が放射する光の相関色温度の目標に設定する。
目標値算出工程Ｓ６４２において、目標値算出部３２３は、測定工程Ｓ６３４で測定部３３０が測定した結果に基づいて、それぞれの光源回路１１０に流す電流の目標値を算出する。なお、あとで調整するので、目標値算出工程Ｓ６４２で目標値算出部３２３が算出する目標値は、概算でよい。例えば、光源回路１１０ａを流れる電流をＩａ、光源回路１１０ｂを流れる電流を０にしたとき、測定部３３０が測定した光束がΦａ、相関色温度がＴａであるとする。光源回路１１０ａを流れる電流を０、光源回路１１０ｂを流れる電流をＩｂにしたとき、測定部３３０が測定した光束がΦｂ、相関色温度がＴｂであるとする。また、光源モジュール１００が放射する光の光束の目標値がΦ、相関色温度の目標値がＴであるとする。目標値算出部３２３は、相関色温度Ｔから相関色温度Ｔｂを差し引いた差（Ｔ−Ｔｂ）を、相関色温度Ｔａから相関色温度Ｔｂを差し引いた差（Ｔａ−Ｔｂ）で割った商と、光束Φを光束Φａで割った商Φ／Φａと、電流Ｉａとの積［（Ｔ−Ｔｂ）／（Ｔａ−Ｔｂ）・Φ／Φａ・Ｉａ］を算出して、光源回路１１０ａに流すべき電流の目標値とする。また、目標値算出部３２３は、相関色温度Ｔａから相関色温度Ｔを差し引いた差（Ｔａ−Ｔ）を、相関色温度Ｔａから相関色温度Ｔｂを差し引いた差（Ｔａ−Ｔｂ）で割った商と、光束Φを光束Φｂで割った商Φ／Φｂと、電流Ｉｂとの積［（Ｔａ−Ｔ）／（Ｔａ−Ｔｂ）・Φ／Φｂ・Ｉｂ］を算出して、光源回路１１０ｂに流すべき電流の目標値とする。
点灯工程Ｓ６４３において、制御部３２４は、目標値算出工程Ｓ６４２（または後述する目標値調整工程Ｓ６４６）で目標値算出部３２３が算出した電流目標値に基づいて、それぞれの電源回路３１０を制御する制御信号を生成する。それぞれの電源回路３１０は、制御部３２４が生成した制御信号にしたがって動作する。これにより、それぞれの光源回路１１０に、目標値算出部３２３が算出した電流目標値にほぼ一致する電流が流れる。
測定工程Ｓ６４４において、測定部３３０は、光源モジュール１００が放射した光の光束や相関色温度などを測定する。
比較工程Ｓ６４５において、目標値算出部３２３は、目標設定工程Ｓ６４１で目標設定部３２１が設定した目標と、測定工程Ｓ６４４で測定部３３０が測定した結果とを比較して、光源モジュール１００が放射する光の光束や相関色温度が、目標に一致しているか否かを判定する。例えば、あらかじめ光束や相関色温度の許容誤差を定めておき、目標値算出部３２３は、測定部３３０が測定した光束や相関色温度と、光束や相関色温度の目標値との差が許容誤差以内であれば、一致していると判定する。一致していると判定した場合、目標値算出部３２３は、書込処理Ｓ６３０を書込工程Ｓ６４７へ進める。一致していないと判定した場合、目標値算出部３２３は、書込処理Ｓ６３０を目標値調整工程Ｓ６４６へ進める。
目標値調整工程Ｓ６４６において、目標値算出部３２３は、目標設定工程Ｓ６４１で目標設定部３２１が設定した目標と、測定工程Ｓ６４４で測定部３３０が測定した結果とに基づいて、それぞれの光源回路１１０に流すべき電流の目標値を調整する。例えば、光源モジュール１００が放射した光の相関色温度が目標より低い場合、目標値算出部３２３は、放射する光の相関色温度が高い光源回路１１０に流すべき電流の目標値を増やし、放射する光の相関色温度が低い光源回路１１０に流すべき電流の目標値を減らす。逆に、光源モジュール１００が放射した光の相関色温度が目標より高い場合、目標値算出部３２３は、放射する光の相関色温度が高い光源回路１１０に流すべき電流の目標値を減らし、放射する光の相関色温度が低い光源回路１１０に流すべき電流の目標値を増やす。また、光源回路１１０が放射した光の光束が目標より少ない場合、目標値算出部３２３は、それぞれの光源回路１１０に流すべき電流の目標値を増やす。逆に、光源回路１１０が放射した光の光束が目標より多い場合、目標値算出部３２３は、それぞれの光源回路１１０に流すべき電流の目標値を減らす。目標値算出部３２３は、書込処理Ｓ６３０を点灯工程Ｓ６４３に戻し、新たな目標値に基づいて光源回路１１０が点灯する。
【００２７】
書込工程Ｓ６４７において、書込部３２５は、目標設定工程Ｓ６４１で目標設定部３２１が設定した目標と、目標値算出部３２３が算出した電流の目標値とに基づいて、記憶部１２０に記憶させるレコード４１０を生成する。例えば、書込部３２５が生成するレコード４１０の相関色温度データ４１１は、目標設定部３２１が設定した相関色温度の目標を表わす。電流目標値データ４１３ａは、目標値算出部３２３が算出した光源回路１１０ａに流すべき電流の目標値を表わす。電流目標値データ４１３ｂは、目標値算出部３２３が算出した光源回路１１０ｂに流すべき電流の目標値を表わす。書込部３２５は、生成したレコード４１０を、記憶部１２０に記憶させる。書込部３２５は、書込処理Ｓ６３０を目標設定工程Ｓ６４１に戻し、目標設定部３２１が次の目標を設定する。
【００２８】
このように、それぞれの光源回路１１０に流す電流を変えながら、光源モジュール１００が放射した光の光束や相関色温度を測定し、目標と一致したときそれぞれの光源回路１１０に流していた電流を、電流の目標値として記憶部１２０に記憶させる。実際に測定した結果に基づいているので、光源回路１１０の光源の特性にバラツキがあったとしても、記憶部１２０が記憶した目標値の電流をそれぞれの光源回路１１０に流せば、所望の光束や相関色温度を得ることができる。
【００２９】
なお、書込部３２５は、生成したレコード４１０を一つずつ記憶部１２０に書き込むのではなく、生成したレコード４１０を一時的に記憶（バッファ）しておき、すべての目標についてのレコード４１０を生成したのちに、生成したレコード４１０をまとめて記憶部１２０に書き込む構成であってもよい。
【００３０】
このように、光源を実際に点灯させて測定した特性に基づく値を記憶部１２０が記憶しているので、光源の特性のバラツキに関わらず、照明装置８００が、所望の光束や相関色温度の光を放射することができる。
【００３１】
また、光源モジュール１００の組立前に一つ一つの光源の特性を測定し、光源の特性のバラツキが相殺されるよう選択した複数の光源を組み合わせて光源回路１１０や光源モジュール１００を製造する方式と比較すると、光源の特性を測定する回数が少なくて済む。また、記憶部１２０に値を書き込んでしまえば、特性の違いによって光源モジュール１００を分類して管理する必要がないので、照明装置８００の製造工程において光源モジュール１００を管理する手間がかからない。このため、照明装置８００の製造コストを抑えることができる。
【００３２】
実施の形態２．
実施の形態２について、図７を用いて説明する。
なお、実施の形態１と共通する部分については、同一の符号を付し、説明を省略する。
【００３３】
この実施の形態では、光源モジュール１００の製造時ではなく、照明装置８００の組立後に、記憶部１２０にデータを書き込む構成について説明する。例えば、照明装置８００の製造工程の最終段階で、記憶部１２０にデータを書き込んでもよいし、記憶部１２０にデータを書き込まないまま照明装置８００を出荷し、実際に照明装置８００を使用する環境に照明装置８００を設置したのちに、記憶部１２０にデータを書き込んでもよい。
【００３４】
図７は、この実施の形態における照明装置８００及び測定装置３００の構成を示すブロック構成図である。
測定装置３００（色度測定器）は、測定部３３０と、制御回路３２０とを有する。制御回路３２０は、目標設定部３２１と、目標値算出部３２３と、目標値通知部３２６とを有する。測定部３３０及び目標設定部３２１及び目標値算出部３２３は、実施の形態１で説明したものと同様である。目標値通知部３２６（測定通知部）は、目標値算出部３２３が算出した電流目標値を、点灯装置２００に対して通知する。
制御回路２２０は、実施の形態１で説明した構成に加えて、書込部２２５と、目標値取得部２２６とを有する。目標値取得部２２６（測定取得部）は、測定装置３００が通知した電流目標値を取得する。目標値算出部２２３は、目標値取得部２２６が電流目標値を取得した場合、目標値取得部２２６が取得した電流目標値をそのまま、それぞれの光源回路１１０に流すべき電流の目標値とする。書込部２２５は、測定部３３０が測定した測定結果が、目標設定部３２１が設定した目標に一致したとき、目標値取得部２２６が取得した電流目標値に基づいて、記憶部１２０に記憶させるべきデータを生成し、生成したデータを記憶部１２０に書き込んで記憶させる。例えば、測定部３３０が測定した測定結果が、目標設定部３２１が設定した目標に一致した場合、目標値通知部３２６は、そのことを意味する特別な値の電流目標値を、点灯装置２００に対して通知する。目標値取得部２２６は、取得した電流目標値がその特別な値である場合、測定部３３０が測定した測定結果が、目標設定部３２１が設定した目標に一致したと判定する。書込部２２５は、その直前に目標値取得部２２６が取得した電流目標値に基づいて、記憶部１２０に記憶させるべきデータを生成する。
【００３５】
このように、光源モジュール１００の製造工程ではなく、照明装置８００の組立後に、光源モジュール１００が放射する光を測定することにより、実際の使用環境により近い環境での測定ができる。このため、測定環境と使用環境との違いに起因する誤差を抑えることができ、照明装置８００が、所望の光束や相関色温度の光を放射することができる。
【００３６】
実施の形態３．
実施の形態３について、図８〜図９を用いて説明する。
なお、実施の形態１または実施の形態２と共通する部分については、同一の符号を付し、説明を省略する。
【００３７】
この実施の形態では、光源回路１１０を流れる電流によって、光源回路１１０の光源が放射する光の相関色温度などが変化する場合に適切に対処することにより、照明装置８００の調光度を変えた場合でも、所望の相関色温度などを有する光を放射する構成について説明する。
【００３８】
この実施の形態における照明装置８００の構成は、実施の形態１または実施の形態２で説明したものと同様である。
指示装置８１０は、照明装置８００が放射する光の調光度と相関色温度とを指示する指示信号を出力する。
【００３９】
図８は、この実施の形態における記憶部１２０が記憶しているデータの構造を示す図である。
レコード４１０は、実施の形態１で説明したデータに加えて、調光度データ４１２を含む。調光度データ４１２は、照明装置８００が放射する光の調光度を表わす。例えば、レコード４１０ａは、光源回路１１０ａを流れる電流を５ｍＡ、光源回路１１０ｂを流れる電流を４０ｍＡにすると、照明装置８００が調光度１０％で相関色温度３０００Ｋの光を放射することを表わす。レコード４１０ｂは、光源回路１１０ａを流れる電流を０ｍＡ、光源回路１１０ｂを流れる電流を４５０ｍＡにすると、照明装置８００が調光度１００％で相関色温度３０００Ｋの光を放射することを表わす。
【００４０】
この実施の形態における点灯処理Ｓ６１０の流れは、実施の形態１で説明したものと同様である。
指示取得工程Ｓ６１１において、指示取得部２２１は、指示装置８１０が出力した指示信号を入力する。指示取得部２２１は、入力した指示信号が表わす調光度ｄと相関色温度Ｔとを取得する。
【００４１】
図９は、この実施の形態における目標値算出工程Ｓ６１３の処理を説明するための図である。
横軸は、相関色温度を表わす。縦軸は、電流目標値を表わす。白抜き四角形は、記憶部１２０が記憶したデータが表わす光源回路１１０ａに流すべき電流の目標値（調光度１００％）を示す。白抜き三角形は、記憶部１２０が記憶したデータが表わす光源回路１１０ａに流すべき電流の目標値（調光度１０％）を示す。実線５１１は、白抜き四角形の間を繋ぐ線分である。破線５１３は、白抜き三角形の間を繋ぐ線分である。
【００４２】
目標値算出部２２３は、実施の形態１と同様、例えば直線補間により、それぞれの光源回路１１０に流すべき電流の目標値を算出する。実施の形態１と異なり、変数は、相関色温度と調光度との２つである。
例えば、目標値算出部２２３は、読出部２２２が読み出したデータから、相関色温度データ４１１が表わす相関色温度が、指示取得部２２１が取得した相関色温度Ｔより小さいなかで最大であり、かつ、調光度データ４１２が表わす調光度が、指示取得部２２１が取得した調光度ｄより小さいなかで最大であるレコード４１０を探す。このレコード４１０に含まれる相関色温度データ４１１が表わす相関色温度をＴ１、調光度データ４１２が表わす調光度をｄ１、電流目標値データ４１３ａが表わす電流目標値をＩ１１とする。また、目標値算出部２２３は、読出部２２２が読み出したデータのなかから、相関色温度データ４１１が表わす相関色温度が、指示取得部２２１が取得した相関色温度Ｔより小さいなかで最大であり、かつ、調光度データ４１２が表わす調光度が、指示取得部２２１が取得した調光度ｄより大きいなかで最小であるレコード４１０を探す。このレコード４１０に含まれる相関色温度データ４１１が表わす相関色温度はＴ１であるとする。また、レコード４１０に含まれる調光度データ４１２が表わす調光度をｄ２、電流目標値データ４１３ａが表わす電流目標値をＩ１２とする。更に、目標値算出部２２３は、読出部２２２が読み出したデータのなかから、相関色温度データ４１１が表わす相関色温度が、指示取得部２２１が取得した相関色温度Ｔより大きいなかで最小であり、かつ、調光度データ４１２が表わす調光度が、指示取得部２２１が取得した調光度ｄより小さいなかで最大であるレコード４１０を探す。このレコード４１０に含まれる調光度データ４１２が表わす調光度はｄ１であるとする。また、このレコード４１０に含まれる相関色温度データ４１１が表わす相関色温度をＴ２、電流目標値データ４１３ａが表わす電流目標値をＩ２１とする。また、目標値算出部２２３は、読出部２２２が読み出したデータのなかから、相関色温度データ４１１が表わす相関色温度が、指示取得部２２１が取得した相関色温度Ｔより大きいなかで最小であり、かつ、調光度データ４１２が表わす調光度が、指示取得部２２１が取得した調光度ｄより大きいなかで最小であるレコード４１０を探す。このレコード４１０に含まれる相関色温度データ４１１が表わす相関色温度はＴ２、調光度データ４１２が表わす調光度はｄ２であるとする。また、このレコード４１０に含まれる電流目標値データ４１３ａが表わす電流目標値をＩ２２とする。目標値算出部２２３は、調光度ｄ２から調光度ｄを差し引いた差（ｄ２−ｄ）と相関色温度Ｔ２から相関色温度Ｔを差し引いた差（Ｔ２−Ｔ）と電流目標値Ｉ１１との積と、調光度ｄから調光度ｄ１を差し引いた差（ｄ−ｄ１）と相関色温度Ｔ２から相関色温度Ｔを差し引いた差（Ｔ２−Ｔ）と電流目標値Ｉ１２との積と、調光度ｄ２から調光度ｄを差し引いた差（ｄ２−ｄ）と相関色温度Ｔから相関色温度Ｔ１を差し引いた差（Ｔ−Ｔ１）と電流目標値Ｉ２１との積と、調光度ｄから調光度ｄ１を差し引いた差（ｄ−ｄ１）と相関色温度Ｔから相関色温度Ｔ１を差し引いた差（Ｔ−Ｔ１）と電流目標値Ｉ２２との積との合計を、調光度ｄ２から調光度ｄ１を差し引いた差（ｄ２−ｄ１）と相関色温度Ｔ２から相関色温度Ｔ１を差し引いた差（Ｔ２−Ｔ１）との積で割った商を算出して、光源回路１１０ａに流すべき電流の目標値Ｉとする。目標値算出部２２３は、光源回路１１０ｂについても同様にして、光源回路１１０ｂに流すべき電流の目標値を算出する。
【００４３】
目標値算出部２２３がこのようにして電流の目標値を算出することにより、指示信号よって指示された調光度と相関色温度との組合せに対応するレコード４１０を、記憶部１２０が記憶していない場合でも、光源回路１１０に流すべき電流の目標値を算出することができる。これにより、記憶部１２０が記憶すべきデータの量を抑えることができる。
なお、補間の方式は、直線補間に限らず、放物線補間など他の方式であってもよい。
【００４４】
この実施の形態における測定装置３００の構成は、実施の形態１または実施の形態２で説明したものと同様である。また、この実施の形態における書込処理Ｓ６３０の流れは、実施の形態１で説明したものと同様である。
目標設定工程Ｓ６４１において、目標設定部３２１は、あらかじめ定められた複数の相関色温度のなかから、相関色温度を一つ選択し、あらかじめ定められた複数の調光度のなかから、調光度を一つ選択する。相関色温度と調光度との組合せがすべて選択済であり、まだ選択していない組合せがない場合、目標設定部３２１は、書込処理Ｓ６３０を終了する。まだ選択していない組合せがある場合、目標設定部３２１は、そのなかから、相関色温度と調光度との組合せを一つ選択し、選択した組合せを、光源モジュール１００が放射する光の相関色温度及び調光度の目標に設定する。
【００４５】
このように、それぞれの光源回路１１０に流す電流を変えながら、光源モジュール１００が放射した光の光束や相関色温度を測定し、目標と一致したときそれぞれの光源回路１１０に流していた電流を、電流の目標値として記憶部１２０に記憶させる。実際に測定した結果に基づいているので、光源回路１１０の光源の特性にバラツキがあったとしても、記憶部１２０が記憶した目標値の電流をそれぞれの光源回路１１０に流せば、所望の光束や相関色温度を得ることができる。
【００４６】
また、相関色温度を目標に一致させるだけでなく、調光度を目標に一致させたときの電流を測定して記憶部１２０に記憶させるので、光源回路１１０を流れる電流の違いにより、光源回路１１０が放射する光の光束や相関色温度や色度座標などが変化する場合であっても、記憶部１２０が記憶した目標値の電流をそれぞれの光源回路１１０に流せば、所望の光束や相関色温度を得ることができる。
【００４７】
実施の形態４．
実施の形態４について、図１０〜図１４を用いて説明する。
なお、実施の形態１〜実施の形態３と共通する部分については、同一の符号を付し、説明を省略する。
【００４８】
この実施の形態では、記憶部１２０が、光源回路１１０を流れる電流を基準にして、そのときに光源回路１１０が放射する光の色度座標と光束との関係を表わすデータを記憶する構成について説明する。
【００４９】
この実施の形態における照明装置８００の構成は、実施の形態１または実施の形態２で説明したものと同様である。
【００５０】
図１０は、この実施の形態における記憶部１２０が記憶しているデータの構造を示す図である。
記憶部１２０は、複数のレコード４１０を記憶している。レコード４１０は、光源回路番号データ４１４と、電流データ４１５と、色度座標ｘデータ４１６と、色度座標ｙデータ４１７と、光束データ４１８とを含む。光源回路番号データ４１４は、光源回路１１０の番号を表わす。例えば、「１」は、光源回路１１０ａを意味し、「２」は、光源回路１１０ｂを意味する。電流データ４１５は、光源回路１１０を流れる電流を表わす。色度座標ｘデータ４１６は、光源回路１１０が放射する光の色度座標のｘ座標を表わす。色度座標ｙデータ４１７は、光源回路１１０が放射する光の色度座標のｙ座標を表わす。光束データ４１８は、光源回路１１０が放射する光の光束を表わす。
例えば、レコード４１０ａは、光源回路１１０ａを流れる電流が３００ｍＡであるとき、光源回路１１０ａが放射する光の色度座標は（０．３４６，０．３５９）であり、光束は３００ｌｍであることを表わす。レコード４１０ｂは、光源回路１１０ａを流れる電流が７００ｍＡであるとき、光源回路１１０ａが放射する光の色度座標は（０．３４５，０．３５６）であり、光束は８００ｌｍであることを表わす。
【００５１】
図１１は、この実施の形態における照明装置８００が放射する光を示す色度図である。
横軸は、色度座標のｘ座標を表わす。縦軸は、色度座標のｙ座標を表わす。破線５２１は、黒体放射軌跡を表わす。破線５２２は、それぞれ、相関色温度が所定の値で一定の点を繋ぐ線分である。白丸は、記憶部１２０が記憶したデータが表わす光源回路１１０ａが放射する光の色度座標を表わす。白抜き四角形は、記憶部１２０が記憶したデータが表わす光源回路１１０ｂが放射する光の色度座標を表わす。実線５２３は、白丸の間を繋ぐ線分である。実線５２４は、白抜き四角形の間を繋ぐ線分である。細線５２５は、それぞれ、照明装置８００が放射する光の光束が所定の値で一定の点を繋ぐ曲線である。
光源回路１１０が放射する光の光束を変えるため、光源回路１１０に流す電流を変えると、光源回路１１０が放射する光の色度座標が微妙に変化する。例えば、光源回路１１０ａは、流れる電流を大きくして光束を多くすると、放射する光の色がわずかに青白くなる。
照明装置８００は、指示信号によって指示された相関色温度に対応する破線５２２と、指示信号によって指示された調光度（光束）に対応する細線５２５との交点の色度座標を持つ光を放射する。
【００５２】
図１２は、この実施の形態における目標値算出工程Ｓ６１３の流れを示すフローチャート図である。
目標値算出工程Ｓ６１３は、例えば、暫定目標値設定工程Ｓ６２１と、色度座標算出工程Ｓ６２２と、光束算出工程Ｓ６２３と、相関色温度算出工程Ｓ６２４と、調光度算出工程Ｓ６２５と、収束判定工程Ｓ６２６と、目標値調整工程Ｓ６２７とを有する。
暫定目標値設定工程Ｓ６２１において、目標値算出部２２３は、それぞれの光源回路１１０に流す電流の目標値を暫定的に定める。
色度座標算出工程Ｓ６２２において、目標値算出部２２３は、暫定目標値設定工程Ｓ６２１（または目標値調整工程Ｓ６２７）で算出した目標値に基づいて、それぞれの光源回路１１０が放射する光の色度座標を算出する。
光束算出工程Ｓ６２３において、目標値算出部２２３は、暫定目標値設定工程Ｓ６２１（または目標値調整工程Ｓ６２７）で算出した目標値に基づいて、それぞれの光源回路１１０が放射する光の光束を算出する。
相関色温度算出工程Ｓ６２４において、目標値算出部２２３は、色度座標算出工程Ｓ６２２で算出した色度座標と、光束算出工程Ｓ６２３で算出した光束とに基づいて、光源回路１１０が放射した光を混合した光の色度座標を算出する。目標値算出部２２３は、算出した色度座標を、所定の変換式を使って、相関色温度に変換する。
調光度算出工程Ｓ６２５において、目標値算出部２２３は、光束算出工程Ｓ６２３で算出した光束に基づいて、照明装置８００が放射する光の光束を算出する。目標値算出部２２３は、算出した光束の所定の最大光束に対する比を、調光度として算出する。
収束判定工程Ｓ６２６において、目標値算出部２２３は、計算が収束したか否かを判定する。例えば、目標値算出部２２３は、相関色温度算出工程Ｓ６２４で算出した相関色温度と、指示信号によって指示された相関色温度との差が、所定の許容誤差以内であり、かつ、調光度算出工程Ｓ６２５で算出した調光度と、指示信号によって指示された調光度との差か、所定の許容誤差以内である場合に、収束したと判定する。収束したと判定した場合、目標値算出部２２３は、目標値算出工程Ｓ６１３を終了する。まだ収束していないと判定した場合、目標値算出部２２３は、目標値算出工程Ｓ６１３を目標値調整工程Ｓ６２７へ進める。
目標値調整工程Ｓ６２７において、目標値算出部２２３は、それぞれの光源回路１１０に流すべき電流の目標値を調整する。例えば、相関色温度算出工程Ｓ６２４で算出した相関色温度が、指示された相関色温度より低い場合、目標値算出部２２３は、放射する光の相関色温度が高い光源回路１１０に流すべき電流の目標値を増やし、放射する光の相関色温度が低い光源回路１１０に流すべき電流の目標値を減らす。逆に、相関色温度算出工程Ｓ６２４で算出した相関色温度が、指示された相関色温度より高い場合、目標値算出部２２３は、放射する光の相関色温度が高い光源回路１１０に流すべき電流の目標値を減らし、放射する光の相関色温度が低い光源回路１１０に流すべき電流の目標値を増やす。また、調光度算出工程Ｓ６２５で算出した調光度が、指示された調光度より低い場合、目標値算出部２２３は、それぞれの光源回路１１０に流すべき電流の目標値を増やす。逆に、調光度算出工程Ｓ６２５で算出した調光度が、指示された調光度より高い場合、目標値算出部２２３は、それぞれの光源回路１１０に流すべき電流の目標値を減らす。目標値算出部２２３は、目標値算出工程Ｓ６１３を色度座標算出工程Ｓ６２２に戻し、調整した目標値に基づいて色度座標などを算出する。
【００５３】
なお、目標値算出工程Ｓ６１３の処理に時間がかかる場合には、目標値が収束するのを待たず、暫定的な目標値に基づいて制御部２２４が制御信号を生成し、光源回路１１０を点灯させる構成であってもよい。これにより、照明装置８００の点灯開始までの遅延時間を減らすことができる。
【００５４】
図１３は、この実施の形態における測定装置３００の構成を示すブロック構成図である。
制御回路３２０は、目標値算出部３２３と、制御部３２４と、書込部３２５とを有する。
目標値算出部３２３は、光源回路１１０を一つずつ選択し、複数の電流目標値のなかから電流目標値を一つずつ選択して、選択した光源回路１１０に流すべき電流の目標値とし、それ以外の光源回路１１０に流すべき電流の目標値を０とする。
制御部３２４は、目標値算出部３２３が算出した電流目標値に基づいて、電源回路３１０を制御する制御信号を生成する。
書込部３２５は、目標値算出部３２３が算出した目標値と、その目標値の電流を光源モジュール１００の光源回路１１０に流して測定部３３０が測定した光束や色度座標などの測定結果とに基づいて、記憶部１２０に記憶されるデータを生成する。書込部３２５は、生成したデータを、記憶部１２０に書き込んで記憶させる。
【００５５】
図１４は、この実施の形態における書込処理Ｓ６３０の流れを示すフローチャート図である。
書込処理Ｓ６３０は、光源選択工程Ｓ６３１と、目標値算出工程Ｓ６３２と、点灯工程Ｓ６３３と、測定工程Ｓ６３４と、書込工程Ｓ６４７とを有する。
【００５６】
光源選択工程Ｓ６３１において、目標値算出部３２３は、複数の光源回路１１０のなかから、点灯させる光源回路１１０を一つ選択する。すべての光源回路１１０を選択済であり、まだ選択していない光源回路１１０がない場合、目標値算出部３２３は、書込処理Ｓ６３０を終了する。まだ選択していない光源回路１１０がある場合、目標値算出部３２３は、まだ選択していない光源回路１１０のなかから光源回路１１０を一つ選択し、書込処理Ｓ６３０を目標値算出工程Ｓ６３２へ進める。
目標値算出工程Ｓ６３２において、目標値算出部３２３は、複数の電流目標値のなかから、光源選択工程Ｓ６３１で選択した光源回路１１０に流すべき電流の目標値を一つ選択する。その光源回路１１０についてすべての電流目標値を選択済であり、まだ選択していない電流目標値がない場合、目標値算出部３２３は、書込処理Ｓ６３０を光源選択工程Ｓ６３１に戻し、次の光源回路１１０を選択する。まだ選択していない電流目標値がある場合、目標値算出部３２３は、まだ選択していない電流目標値のなかから電流目標値を一つ選択し、光源選択工程Ｓ６３１で選択した光源回路１１０に流すべき電流の目標値とする。目標値算出部３２３は、光源選択工程Ｓ６３１で選択した光源回路１１０以外の光源回路１１０に流すべき電流の目標値を０に設定する。
点灯工程Ｓ６３３において、制御部３２４は、目標値算出工程Ｓ６３２で目標値算出部３２３が設定した目標値に基づいて、それぞれの電源回路３１０を制御する制御信号を生成する。それぞれの電源回路３１０は、制御部３２４が生成した制御信号にしたがって動作する。これにより、光源選択工程Ｓ６３１で選択された光源回路１１０だけが点灯する。
測定工程Ｓ６３４において、測定部３３０は、光源モジュール１００が放射した光の光束や色度座標などを測定する。
書込工程Ｓ６４７において、書込部３２５は、目標値算出工程Ｓ６３２で目標値算出部３２３が算出した電流の目標値と、測定工程Ｓ６３４で測定部３３０が測定した結果とに基づいて、記憶部１２０に記憶させるレコード４１０を生成する。例えば、書込部３２５が生成するレコード４１０の光源回路番号データ４１４は、光源選択工程Ｓ６３１で目標値算出部３２３が選択した光源回路１１０の番号を表わす。電流データ４１５は、目標値算出工程Ｓ６３２で目標値算出部３２３が選択した電流目標値を表わす。色度座標ｘデータ４１６及び色度座標ｙデータ４１７は、測定工程Ｓ６３４で測定部３３０が測定した色度座標を表わす。光束データ４１８は、測定工程Ｓ６３４で測定部３３０が測定した光束を表わす。書込部３２５は、生成したレコード４１０を、記憶部１２０に記憶させる。書込部３２５は、書込処理Ｓ６３０を目標値算出工程Ｓ６３２に戻し、目標値算出部３２３が次の電流目標値を選択する。
【００５７】
このように、それぞれの光源回路１１０に電流を流して、放射した光の光束や色度座標を実際に測定し、測定した結果を記憶部１２０に記憶させる。実際に測定した結果に基づいているので、光源回路１１０の光源の特性にバラツキがあったとしても、記憶部１２０が記憶したデータに基づいて、それぞれの光源回路１１０に流す電流を算出すれば、所望の調光度や相関色温度を得ることができる。
【００５８】
以上、各実施の形態で説明した構成は、一例であり、他の構成であってもよい。例えば、異なる実施の形態で説明した構成を組み合わせた構成であってもよいし、本質的でない部分の構成を、他の構成で置き換えた構成であってもよい。
例えば、照明装置８００は、調光機能や相関色温度を変化させる機能を持たず、あらかじめ定められた明るさで、あらかじめ定められた相関色温度の光を放射する構成であってもよい。
また、記憶部１２０が記憶するデータの構造は、レコード形式に限らず、例えば、表形式（ＬＥＤ電流設定表）などであってもよい。また、記憶部１２０が記憶するデータは、光源回路１１０に流す電流の目標値の代わりに、光源回路１１０の両端に印加する電圧の値を表わすデータを含む構成であってもよい。また、記憶部１２０が記憶するデータは、光源回路１１０が有する光源の数（ＬＥＤ搭載個数）を表わすデータを含む構成であってもよい。記憶部１２０が記憶するデータが、光源回路１１０の両端に印加する電圧の値や光源の数を含む場合、制御部２２４がそれらのデータに基づいて、電源回路３１０が生成する電圧を制御信号により指示することとすれば、電源回路３１０が光源回路１１０に適した電圧を生成することができるので、過電圧や過電流などによる故障や寿命短縮を防ぐことができる。
【符号の説明】
【００５９】
１００  光源モジュール、１１０  光源回路、１２０  記憶部、１８０，２８０，２９１，２９２，３８０，３９１，３９２  コネクタ、２００  点灯装置、２１０，３１０  電源回路、２２０，３２０  制御回路、２２１  指示取得部、２２２  読出部、２２３，３２３  目標値算出部、２２４，３２４  制御部、２２５，３２５  書込部、２２６  目標値取得部、２９０，３９０  ハーネス、２９３，３９３  ケーブル、３００  測定装置、３２１  目標設定部、３２６  目標値通知部、３３０  測定部、４１０  レコード、４１１  相関色温度データ、４１２  調光度データ、４１３  電流目標値データ、４１４  光源回路番号データ、４１５  電流データ、４１６  色度座標ｘデータ、４１７  色度座標ｙデータ、４１８  光束データ、５１１，５２３，５２４  実線、５１２，５１３，５２１，５２２  破線、５２５  細線、８００  照明装置、８１０  指示装置、ＡＣ  電源、Ｓ６１０  点灯処理、Ｓ６１１  指示取得工程、Ｓ６１２  読出工程、Ｓ６１３，Ｓ６３２，Ｓ６４２  目標値算出工程、Ｓ６１４  制御工程、Ｓ６２１  暫定目標値設定工程、Ｓ６２２  色度座標算出工程、Ｓ６２３  光束算出工程、Ｓ６２４  相関色温度算出工程、Ｓ６２５  調光度算出工程、Ｓ６２６  収束判定工程、Ｓ６２７，Ｓ６４６  目標値調整工程、Ｓ６３０  書込処理、Ｓ６３１  光源選択工程、Ｓ６３３，Ｓ６４３  点灯工程、Ｓ６３４，Ｓ６４４  測定工程、Ｓ６４１  目標設定工程、Ｓ６４５  比較工程、Ｓ６４７  書込工程。
【図１】
0005738107.tif 000002
【図２】
0005738107.tif 000003
【図３】
0005738107.tif 000004
【図４】
0005738107.tif 000005
【図５】
0005738107.tif 000006
【図６】
0005738107.tif 000007
【図７】
0005738107.tif 000008
【図８】
0005738107.tif 000009
【図９】
0005738107.tif 000010
【図１０】
0005738107.tif 000011
【図１１】
0005738107.tif 000012
【図１２】
0005738107.tif 000013
【図１３】
0005738107.tif 000014
【図１４】
0005738107.tif 000015